【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
無線通信を介して著作権を保護すべきコンテンツデータを送信する送信装置と、この送信装置から送信された前記コンテンツデータを受信する受信装置からなる無線通信システムにおいて、
前記受信装置と前記送信装置とが互いに通信することを許可された機器であるか否かを判断するために、前記無線通信の無線リンクレイヤ上にて、前記送信装置と前記受信装置との間の認証を行う第１の認証手段と、
この第１の認証手段により、前記送信装置と前記受信装置との間で認証が成功した場合、前記送信装置と前記受信装置との間で共通の第１の暗号鍵を生成し、この第１の暗号鍵を共有する第１の鍵交換手続き手段と、
前記第１の暗号鍵に基づき暗号化された無線通信を用いて、前記送信装置と前記受信装置との間で、著作権保護のための認証を行う第２の認証手段と、
この第２の認証手段により、前記送信装置と前記受信装置との間で著作権保護のための認証が成功した場合、前記送信装置と前記受信装置との間で共通の第２の暗号鍵を生成し、この第２の暗号鍵を共有する第２の鍵交換手続き手段とを備え、
前記無線リンクレイヤ上に設けられた、前記第２の暗号鍵に基づき暗号化された暗号化通信路を用いて前記送信装置から前記受信装置へ前記コンテンツデータを転送することを特徴とする無線通信システム。
【請求項２】
無線通信を介して著作権を保護すべきコンテンツデータを送信する送信装置と、この送信装置から送信された前記コンテンツデータを受信する受信装置からなる無線通信システムにおいて、
前記受信装置と前記送信装置とが互いに通信することを許可された機器であるか否かを判断するために、前記無線通信の無線リンクレイヤ上にて、前記送信装置と前記受信装置との間の認証を行う第１の認証手段と、
この第１の認証手段により、前記送信装置と前記受信装置との間で認証が成功した場合、前記送信装置と前記受信装置との間で共通の第１の暗号鍵を生成し、この第１の暗号鍵を共有する第１の鍵交換手続き手段と、
前記第１の暗号鍵に基づき暗号化された無線通信を用いて、前記送信装置と前記受信装置との間で、著作権保護のための認証を行う第２の認証手段と、
この第２の認証手段により、前記送信装置と前記受信装置との間で著作権保護のための認証が成功した場合、前記送信装置と前記受信装置との間で共通の第２の暗号鍵を生成し、この第２の暗号鍵を共有する第２の鍵交換手続き手段とを備え、
前記第２の暗号鍵に基づき暗号化された暗号化通信路を、前記第１の暗号鍵に基づき暗号化された前記無線通信上に設定し、この暗号化通信路を介して前記送信装置から前記受信装置へ前記コンテンツデータを転送することを特徴とする無線通信システム。
【請求項３】
著作権を保護すべきコンテンツデータを無線通信を介して受信装置へ送信する送信装置であって、
前記受信装置が前記送信装置と通信することを許可された機器であるか否かを判断するために、前記無線通信の無線リンクレイヤ上にて、前記受信装置との間の認証を行う第１の認証手段と、
この第１の認証手段により、前記受信装置との間で認証が成功した場合、前記受信装置との間で共通の第１の暗号鍵を生成し、この第１の暗号鍵を共有する第１の鍵交換手続き手段と、
前記第１の暗号鍵に基づき暗号化された無線通信を用いて、前記受信装置との間で、著作権保護のための認証を行う第２の認証手段と、
この第２の認証手段により、前記受信装置との間で著作権保護のための認証が成功した場合、前記受信装置との間で共通の第２の暗号鍵を生成し、この第２の暗号鍵を共有する第２の鍵交換手続き手段とを備え、
前記無線リンクレイヤ上に設けられた、前記第２の暗号鍵に基づき暗号化された暗号化通信路を用いて前記受信装置へ前記コンテンツデータを送信することを特徴とする無線通信システム。
【請求項４】
著作権を保護すべきコンテンツデータを無線通信を介して受信装置へ送信する送信装置であって、
前記受信装置が前記送信装置と通信することを許可された機器であるか否かを判断するために、前記無線通信の無線リンクレイヤ上にて、前記受信装置との間の認証を行う第１の認証手段と、
この第１の認証手段により、前記受信装置との間で認証が成功した場合、前記受信装置との間で共通の第１の暗号鍵を生成し、この第１の暗号鍵を共有する第１の鍵交換手続き手段と、
前記第１の暗号鍵に基づき暗号化された無線通信を用いて、前記受信装置との間で、著作権保護のための認証を行う第２の認証手段と、
この第２の認証手段により、前記受信装置との間で著作権保護のための認証が成功した場合、前記受信装置との間で共通の第２の暗号鍵を生成し、この第２の暗号鍵を共有する第２の鍵交換手続き手段とを備え、
前記第２の暗号鍵に基づき暗号化された暗号化通信路を、前記第１の暗号鍵に基づき暗号化された前記無線通信上に設定し、この暗号化通信路を介して前記受信装置へ前記コンテンツデータを転送することを特徴とする送信装置。
【請求項５】
前記第２の認証手段または前記第２の鍵交換手続き手段は、前記無線リンクレイヤ上における暗号化通信が介在しなかったことを理由として、前記著作権保護のための認証または前記第２の暗号鍵の共有が失敗した場合に、該失敗の旨および該理由を前記受信装置に通知することを特徴とする請求項３または４に記載の送信装置。
【請求項６】
前記コンテンツ・データを記憶するための記憶手段を更に備えたことを特徴とする請求項３ないし５のいずれか１項に記載の送信装置。
【請求項７】
前記第１の認証手段による前記認証は、自装置に入力されたＰＩＮコードと前記受信装置から通知されたＰＩＮコードとが予め定められた一定の関係にある場合に、成立するものであることを特徴とする請求項３ないし６のいずれか１項に記載の送信装置。
【請求項８】
前記ＰＩＮコードは、その都度変化するコード情報、予め定められたコード情報、ユーザの身体から採取した身体情報、またはユーザの属性に関する属性情報の少なくとも一つを含むものであることを特徴とする請求項３ないし７のいずれか１項に記載の送信装置。
【請求項９】
著作権を保護すべきコンテンツデータを送信する送信装置から無線通信を介して送信された前記コンテンツデータを受信する受信装置であって、
自装置が前記送信装置と通信することを許可された機器として動作可能とするために、前記無線通信の無線リンクレイヤ上にて、前記送信装置との間の認証を行う第１の認証手段と、
この第１の認証手段により、前記送信装置との間で認証が成功した場合、前記送信装置との間で共通の第１の暗号鍵を生成し、この第１の暗号鍵を共有する第１の鍵交換手続き手段と、
前記第１の暗号鍵に基づき暗号化された無線通信を用いて、前記送信装置との間で、著作権保護のための認証を行う第２の認証手段と、
この第２の認証手段により、前記送信装置との間で著作権保護のための認証が成功した場合、前記送信装置との間で共通の第２の暗号鍵を生成し、この第２の暗号鍵を共有する第２の鍵交換手続き手段とを備え、
前記無線リンクレイヤ上に設けられた、前記第２の暗号鍵に基づき暗号化された暗号化通信路を用いて前記送信装置から送信された前記コンテンツデータを受信することを特徴とする受信装置。
【請求項１０】
著作権を保護すべきコンテンツデータを送信する送信装置から無線通信を介して送信された前記コンテンツデータを受信する受信装置であって、
自装置が前記送信装置と通信することを許可された機器として動作可能とするために、前記無線通信の無線リンクレイヤ上にて、前記送信装置との間の認証を行う第１の認証手段と、
この第１の認証手段により、前記送信装置との間で認証が成功した場合、前記送信装置との間で共通の第１の暗号鍵を生成し、この第１の暗号鍵を共有する第１の鍵交換手続き手段と、
前記第１の暗号鍵に基づき暗号化された無線通信を用いて、前記送信装置との間で、著作権保護のための認証を行う第２の認証手段と、
この第２の認証手段により、前記送信装置との間で著作権保護のための認証が成功した場合、前記送信装置との間で共通の第２の暗号鍵を生成し、この第２の暗号鍵を共有する第２の鍵交換手続き手段とを備え、
前記第２の暗号鍵に基づき暗号化された暗号化通信路を、前記第１の暗号鍵に基づき暗号化された前記無線通信上に設定し、この暗号化通信路を介して前記送信装置から送信された前記コンテンツデータを受信することを特徴とする受信装置。
【請求項１１】
前記コンテンツ・データを表示するための表示手段を更に備えたことを特徴とする請求項９または１０に記載の受信装置。
【請求項１２】
前記第１の認証手段による前記認証は、自装置に入力されたＰＩＮコードと前記送信装置から通知されたＰＩＮコードとが予め定められた一定の関係にある場合に、成立するものであることを特徴とする請求項９ないし１１のいずれか１項に記載の受信装置。
【請求項１３】
前記ＰＩＮコードは、その都度変化するコード情報、予め定められたコード情報、ユーザの身体から採取した身体情報、またはユーザの属性に関する属性情報の少なくとも一つを含むものであることを特徴とする請求項９ないし１２のいずれか１項に記載の受信装置。
【請求項１４】
無線通信を介して著作権を保護すべきコンテンツデータを送信する送信装置と、この送信装置から送信された前記コンテンツデータを受信する受信装置からなる無線通信システムにおけるコンテンツデータ転送方法であって、
前記受信装置と前記送信装置とが互いに通信することを許可された機器であるか否かを判断するために、前記無線通信の無線リンクレイヤ上にて、前記送信装置と前記受信装置との間の認証を行い、
この前記送信装置と前記受信装置との間での認証が成功した場合、前記送信装置と前記受信装置との間で共通の第１の暗号鍵を生成し、この第１の暗号鍵を共有し、
前記第１の暗号鍵に基づき暗号化された無線通信を用いて、前記送信装置と前記受信装置との間で、著作権保護のための認証を行い、
この前記送信装置と前記受信装置との間での著作権保護のための認証が成功した場合、前記送信装置と前記受信装置との間で共通の第２の暗号鍵を生成し、この第２の暗号鍵を共有し、
前記無線リンクレイヤ上に設けられた、前記第２の暗号鍵に基づき暗号化された暗号化通信路を用いて前記送信装置から前記受信装置へ前記コンテンツデータを転送することを特徴とするコンテンツデータ転送方法。
【請求項１５】
無線通信を介して著作権を保護すべきコンテンツデータを送信する送信装置と、この送信装置から送信された前記コンテンツデータを受信する受信装置からなる無線通信システムにおけるコンテンツデータ転送方法であって、
前記受信装置と前記送信装置とが互いに通信することを許可された機器であるか否かを判断するために、前記無線通信の無線リンクレイヤ上にて、前記送信装置と前記受信装置との間の認証を行い、
この前記送信装置と前記受信装置との間での認証が成功した場合、前記送信装置と前記受信装置との間で共通の第１の暗号鍵を生成し、この第１の暗号鍵を共有し、
前記第１の暗号鍵に基づき暗号化された無線通信を用いて、前記送信装置と前記受信装置との間で、著作権保護のための認証を行い、
この前記送信装置と前記受信装置との間での著作権保護のための認証が成功した場合、前記送信装置と前記受信装置との間で共通の第２の暗号鍵を生成し、この第２の暗号鍵を共有し、
前記第２の暗号鍵に基づき暗号化された暗号化通信路を、前記第１の暗号鍵に基づき暗号化された前記無線通信上に設定し、この暗号化通信路を介して前記送信装置から前記受信装置へ前記コンテンツデータを転送することを特徴とするコンテンツデータ転送方法。
【請求項１６】
著作権を保護すべきコンテンツデータを無線通信を介して受信装置へ送信する送信装置であって、
前記受信装置との間で共通の第１の暗号鍵を生成し、この第１の暗号鍵を共有する手続を行う第１の鍵交換手続き手段と、
前記第１の暗号鍵に基づき暗号化された無線通信を用いて、前記受信装置との間で、著作権保護のための認証を行う認証手段と、
この認証手段により、前記受信装置との間で著作権保護のための認証が成功した場合、前記受信装置との間で共通の第２の暗号鍵を生成し、この第２の暗号鍵を共有する手続を行う第２の鍵交換手続き手段とを備え、
前記第２の暗号鍵に基づき暗号化された暗号化通信路を、前記第１の暗号鍵に基づき暗号化された前記無線通信上に設定し、この暗号化通信路を介して前記受信装置へ前記コンテンツデータを転送することを特徴とする送信装置。
【請求項１７】
著作権を保護すべきコンテンツデータを送信する送信装置から無線通信を介して送信された前記コンテンツデータを受信する受信装置であって、
前記送信装置との間で共通の第１の暗号鍵を生成し、この第１の暗号鍵を共有する手続を行う第１の鍵交換手続き手段と、
前記第１の暗号鍵に基づき暗号化された無線通信を用いて、前記送信装置との間で、著作権保護のための認証を行う認証手段と、
この認証手段により、前記送信装置との間で著作権保護のための認証が成功した場合、前記送信装置との間で共通の第２の暗号鍵を生成し、この第２の暗号鍵を共有する手続を行う第２の鍵交換手続き手段とを備え、
前記第２の暗号鍵に基づき暗号化された暗号化通信路を、前記第１の暗号鍵に基づき暗号化された前記無線通信上に設定し、この暗号化通信路を介して前記送信装置から送信された前記コンテンツデータを受信することを特徴とする受信装置。